(57)【要約】      （修正有）【課題】乱貼りタイルが確実に保持されて割れ欠けを生じることがなく、梱包作業を能率的に行なえ、しかも梱包体の体積を大きく増加させることがない乱貼りタイルの梱包用シート、及び乱貼りタイルの梱包方法を提供する。【解決手段】緩衝シート１に、複数個の乱貼りタイルを互いに離間させかつ位置決めして固定しうる保持片２を設け、かつ保持片に位置決め固定された乱貼りタイルのサイズ検査用の模様３を形成し、保持片は、緩衝シートに切り込み４を設け、切り込みに挟まれる部分を立ち上げることにより形成し、保持片は、乱貼りタイルの各辺に少なくとも１個設けられ、しかも乱貼りタイルの辺の中間部に形成し、模様は、乱貼りタイルの外周に沿って、緩衝シートに間隔を隔て連続的に設けた切れ目５により形成し、緩衝シートは、乱貼りタイルの種類を表示する符号６を付した。【選択図】図１
2005162236.tif 000002
【特許請求の範囲】
【請求項１】
緩衝シートに、複数個の乱貼りタイルを互いに離間させかつ位置決めして固定しうる保持片を設け、
かつ前記保持片に位置決め固定された乱貼りタイルのサイズ検査用の模様を形成したことを特徴とする乱貼りタイルの梱包用シート。 
【請求項２】
前記保持片は、緩衝シートに切り込みを設け、該切り込みに挟まれる部分を立ち上げることにより形成されることを特徴とする請求項１記載の乱貼りタイルの梱包用シート。
【請求項３】
前記保持片は、乱貼りタイルの各辺に少なくとも１個設けられ、しかも乱貼りタイルの辺の中間部に形成されることを特徴とする請求項１又は２記載の乱貼りタイルの梱包用シート。
【請求項４】
前記模様は、乱貼りタイルの外周に沿って、前記緩衝シートに間隔を隔て連続的に設けた切れ目により形成されることを特徴とする請求項１〜３のいずれかに記載の乱貼りタイルの梱包用シート。
【請求項５】
前記緩衝シートは、乱貼りタイルの種類を表示する符号を付したことを特徴とする請求項１〜４のいずれかに記載の乱貼りタイルの梱包用シート。
【請求項６】
前記乱貼りタイルの梱包用シートを用い、乱貼りタイルを梱包する方法であって、
保持片により、乱貼りタイルを乱貼りタイルの梱包用シートに位置決めして固定する工程と、
緩衝シートに設けた模様を用いて、乱貼りタイルのサイズを検査する工程と、
乱貼りタイルを固定した乱貼りタイルの梱包用シートを、箱に積み重ねて収納する工程とを含むことを特徴とする乱貼りタイルの梱包方法。 
【発明の詳細な説明】
【技術分野】
【０００１】
本発明は、乱貼りタイルを確実に保持でき、かつサイズの検査を同時に行なえる乱貼りタイルの梱包用シートと、この乱貼りタイルの梱包用シートを用いた乱貼りタイルの梱包方法に関する。
【背景技術】
【０００２】
タイルは、脆性が大きいため、トラック、船舶その他を用いた輸送工程、倉庫内のフォークリフト、クレーンその他による移送工程などにおいて、少しの衝撃が加わると端部などが破損し易い。そこでタイルは、その生産工場から、施工現場に至る間は、段ボール箱内に隙間なく収納されたタイル梱包体として取り扱われている（例えば、特許文献１参照。）。
【０００３】
【特許文献１】特開２００２−２６１２号公報
【発明の開示】
【発明が解決しようとする課題】
【０００４】
しかしながら、乱貼りに用いられる乱貼りタイルは、外形が矩形以外のランダムな形状と大きさを具えるため、段ボール箱に隙間なく納めることができないため、その内部で位置決めすることが困難であり、前記輸工過程、移送工程中に衝撃を受けると前記乱貼りタイルは個々に段ボール箱内で動く結果、相互に衝突するなどして、割れ欠けを生じる場合がある。
【０００５】
そこで、この種乱貼りタイルは、これを一枚毎、エアークッションシート、発泡ポリスチレンシートなどの緩衝性の高いシート材を用いて包装した上、箱詰めすることも考えられるが、梱包に手間が掛かかるとともに、梱包体の体積が著しく増加するため、輸送、倉庫保管に際し、大きなスペースを必要とし、これら作業の効率が低下するという問題がある。
【０００６】
本発明は、前記した乱貼りタイルを梱包する際の問題点を解消し、乱貼りタイルは、確実に保持されて割れ欠けを生じることがないとともに、梱包作業を能率的に行なえ、しかも梱包体の体積を大きく増加させることがない乱貼りタイルの梱包用シート、及び乱貼りタイルの梱包方法を提供することである。
【課題を解決するための手段】
【０００７】
前記目的を達成するために、請求項１記載の発明は、緩衝シートに、複数個の乱貼りタイルを互いに離間させかつ位置決めして固定しうる保持片を設け、かつ前記保持片に位置決め固定された乱貼りタイルのサイズ検査用の模様を形成したことを特徴とする。
【０００８】
また請求項２記載の発明は、前記保持片は、緩衝シートに切り込みを設け、該切り込みに挟まれる部分を立ち上げることにより形成されることを特徴とする請求項１記載の乱貼りタイルの梱包用シートであり、また請求項３記載の発明は、前記保持片は、乱貼りタイルの各辺に少なくとも１個設けられ、しかも乱貼りタイルの辺の中間部に形成されることを特徴とする請求項１又は２記載の乱貼りタイルの梱包用シートである。
【０００９】
また請求項４記載の発明は、前記模様は、乱貼りタイルの外周に沿って、前記緩衝シートに間隔を隔て連続的に設けた切れ目により形成されることを特徴とする請求項１〜３のいずれかに記載の乱貼りタイルの梱包用シートであり、また請求項５記載の発明は、前記緩衝シートは、乱貼りタイルの種類を表示する符号を付したことを特徴とする請求項１〜４のいずれかに記載の乱貼りタイルの梱包用シートである。
【００１０】
また請求項６記載の発明は、前記乱貼りタイルの梱包用シートを用い、乱貼りタイルを梱包する方法であって、保持片により、乱貼りタイルを乱貼りタイルの梱包用シートに位置決めして固定する工程と、緩衝シートに設けた模様を用いて、乱貼りタイルのサイズを検査する工程と、乱貼りタイルを固定した乱貼りタイルの梱包用シートを、箱に積み重ねて収納する工程とを含むことを特徴とする乱貼りタイルの梱包方法である。
【発明の効果】
【００１１】
本発明の乱貼りタイルの梱包用シートは叙上の如く構成しているため、保持片が個々の乱貼りタイルを位置決め固定することにより、乱貼りタイルは、搬送中などに衝撃力により動いて相互に衝突することがなく、従って、割れ欠けなど破損の発生を防止しうる。さらに、位置決め固定された乱貼りタイルは、その外形線とサイズ検査用の模様と照合するだけで、所定の形状に形成されていることチェックを確実に行なえ、タイルの検品が梱包作業と同時に完了するため作業能率が向上する。しかも、乱貼りタイルは緩衝シートと積層するだけであるため、梱包体としての嵩が大きく増加することはない。
【００１２】
また請求項２記載の発明のように、前記保持片は、緩衝シートに切り込みを設け、該切り込みに挟まれる部分を立ち上げることにより形成すると、保持片は緩衝シートと一体であるため乱貼りタイルの保持力が安定し、請求項３記載の発明のように、前記保持片は、乱貼りタイルの各辺に少なくとも１個設けられ、しかも乱貼りタイルの辺の中間部に形成される場合には、乱貼りタイルは安定して保持されるため、緩衝シートから外れて動くことがない。
【００１３】
また請求項４記載の発明のように、前記模様は、乱貼りタイルの外周に沿って、前記緩衝シートに間隔を隔て連続的に設けた切れ目により形成される場合には、模様は前記切り込みの形成と同一の金型を用いて、単一工程で形成することができ、請求項５記載の発明のように、前記緩衝シートは、乱貼りタイルの種類を表示する符号を付すことにより、該符号を見れば固定箇所が瞬時にして判断できるので梱包の作業性を高めうる。
【００１４】
また請求項６記載の発明のように、前記乱貼りタイルの梱包用シートを用い、乱貼りタイルを梱包する方法であって、保持片により、乱貼りタイルを乱貼りタイルの梱包用シートに位置決めして固定する工程と、緩衝シートに設けた模様を用いて、乱貼りタイルのサイズを検査する工程と、乱貼りタイルを固定した乱貼りタイルの梱包用シートを、箱に積み重ねて収納する工程とを含む乱貼りタイルの梱包方法においては、保持片に乱貼りタイルを固定することでその位置決めを迅速に行なうことができ、乱貼りタイルの外形と模様の照合でタイルの検品が同時に行なえるため作業性に優れ、しかも前記乱貼りタイルは、乱貼りタイルの梱包用シートに固定された状態で重ねて箱詰めするため梱包作業が簡単かつ迅速に行なえる。
【発明を実施するための最良の形態】
【００１５】
以下、本発明の実施の一形態を、図示例とともに説明する。本発明は、乱貼りタイルの梱包用シートと乱貼りタイルの梱包方法に関するものである。本明細書で乱貼りタイルＴとは、矩形状のタイルを用いた通し目地貼りとは異なり、図５に示すように、非矩形の貼り材をジグソーパズル状に配置して並べることにより形成される所謂乱貼りに使用され、前記貼り材として用いられるタイルをいい、非矩形多角形をなす。ここで非矩形多角形とは、長方形、正方形を含まない多角形をいい、しかも各辺は、直線は勿論のこと、曲線のものも含む。個々の乱貼りタイルＴの辺の数は特に制限されないが、好ましくは３ないし６、より好ましくは４ないし５の辺（４ないし５の角）を有するものが好適である。なお乱貼りタイルＴがジグソーパズル状に配置して並ぶとは、隣接する乱貼りタイルＴの向き合う縁部は略同じ形状に形成されることにより、複数の乱貼りタイルＴが隙間なく並ぶ、又は略等しい巾の小間隔を介して並ぶことをいう。
【００１６】
前記乱貼りタイルＴは、図５に例示する乱貼りの場合では、１５種類のものが使用され、各乱貼りタイルＴ１〜Ｔ１５がジグソーパズル状に配置されて、基本模様パターンＤを構成している。そして該基本模様パターンＤは、複数個を上下に配置して、全体模様部Ｅを形成している。図７には、前記基本模様パターンＤのうち、一の基本模様パターンＤ３のみを示している。前記基本模様パターンＤ３は、上下で向き合う第１ないし第２の辺Ｂ１、Ｂ２と、左右で向き合う一対の側縁部Ｆ１、Ｆ２とで区画される。第１ないし第２の辺Ｂ１、Ｂ２は、いづれも非直線であって、曲線を含み略階段状に折れ曲るものが示される。また、第１の辺Ｂ１、第２の辺Ｂ２は、各々長さ方向の中間Ｃ１、Ｃ２を中心として点対称に形成されている。
【００１７】
そして、図５に示すように、例えば基本模様パターンＤ３と、その上側で隣り合って配置された基本模様パターンＤ２とは、各々第１の辺Ｂ１、Ｂ１の前記中心（第１の辺Ｂ１の中間Ｃ１）周りに点対称に配置されている。前記の如く、第１の辺Ｂ１は、前記中間Ｃ１を中心として点対称に形成されているため、基本模様パターンＤ３と、基本模様パターンＤ２とは上下に隙間なく連続している。同様に、基本模様パターンＤ３と、その下側で隣り合って配置された基本模様パターンＤ４とは、各々第２の辺Ｂ２、Ｂ２の前記中心（第２の辺Ｂ２の中間Ｃ２）周りに点対称に配置されている。このように、図５において、広幅の線で誇張して示した第１、第２の辺Ｂ１、Ｂ２で挟まれる基本模様パターンＤ１〜Ｄ５は、第１の辺Ｂ１、又は第２の辺Ｂ２の中心周りに点対称に連続的して配置され全体模様部Ｅを形成している。なお、前記全体模様部Ｅは、図６に示すように、壁Ｗに用いられた場合が例示され、壁下地２１の上に形成されている。
【００１８】
前記複数種類の乱貼りタイルＴは、例えば工場等で予め型枠２２により成形する。図８に例示する型枠２２は、前記乱貼りタイルＴ６、Ｔ７、Ｔ８の成形に使用されるものが例示され、該型枠２２は、これらの乱貼りタイルＴの輪郭形状に等しい内輪部を有する側枠体２２ａと、前記側枠体２２ａの底部を塞ぐ基板２２ｂとから成る。また前記側枠体２２ａと基板２２ｂとは、各々鉄、アルミニウム、プラスチック等を用いて形成される。
【００１９】
図９に示すように、型枠２２のキャビティには、乱貼りタイルＴを形成するための混錬物２３が充填される。前記混錬物２３は、例えば珪藻土に、粉粒炭、ゼオライト、セピオライト、シリカゲル、アロフェン、イモゴライト等の調湿材を１以上配合した調湿材と粘土、火成岩等の焼成原料を混合して加水したものが好適に用いられる。前記混錬物２３を型枠２２に充填し、成形養生後、脱型して、焼成炉において８００〜１０００℃で加熱焼成して、図１０に示すように、乱貼りタイルＴ６、Ｔ７、Ｔ８を製造する。なお乱貼りタイルＴの厚さは、特に限定されないが、例えば３ｍｍ〜３０ｍｍ、好ましくは５ｍｍ〜１５ｍｍ、本例では８ｍｍの厚さに形成される。
【００２０】
本発明の乱貼りタイルの梱包用シート１は、前記乱貼りタイルＴを複数個固定するものであって、緩衝シートＳに保持片２と、サイズ検査用の模様３とを設け構成している。図１は、乱貼りタイルの梱包用シート１の斜視図、図２は乱貼りタイルＴを固定した状態の斜視図、図３はその部分拡大斜視図である。
【００２１】
前記緩衝シートＳは、縦横が各々、例えば２００〜６００ｍｍ程度、厚さが例えば２．０〜１０．０ｍｍ程度の矩形状をなし、しかもその大きさを、図４に示すように、梱包用の箱７の内寸と略同寸法に形成すると、箱７への出し入れを容易に行なうことができるとともに、輸送工程などで、振動、衝撃を受けた時でも、箱７内で動くことが阻止される点で好ましい。また前記緩衝シートＳは、一定の弾性と変形性を具え、段ボール、厚紙、発泡ポリスチレン、ＥＶＡ樹脂、軟質塩化ビニル樹脂、オレフィン系エラストマー等を用いて形成される。
【００２２】
前記保持片２は、図１に示すように、前記緩衝シートＳの上面で、前記乱貼りタイルＴの縁部に位置するとともに該乱貼りタイルＴを囲む複数箇所に形成され、乱貼りタイルＴの縁部に当接することにより、該乱貼りタイルＴを位置決めすると同時に固定するものである。従って、図２、３に示すように、保持片２により緩衝シートＳ上に固定された乱貼りタイルＴは、輸送工程、倉庫内の移送工程などで、振動、衝撃を受けても、個々に動くことが阻止されて、相互に衝突することがないため、割れ、欠けなどの破損がなくなる。しかも、前記乱貼りタイルＴは、緩衝シートＳと積層して梱包するため、梱包体全体としての嵩が大きく増加することはなく、輸送、倉庫保管などの作業を容易に行なえる。
【００２３】
前記保持片２は、本形態では、乱貼りタイルＴの各辺に１又は２個設けられ、しかも乱貼りタイルＴの辺の中間部に形成されているため、乱貼りタイルＴを安定して支持固定することができ、乱貼りタイルＴが緩衝シートＳから外れて、単独で動くことを防止できる。また保持片２は、乱貼りタイルＴの辺の長さがが長い場合には、３個以上設けることもよく、そして乱貼りタイルＴの一つの辺に２以上の保持片２を設ける場合、各保持片２は、乱貼りタイルＴの辺の中間部に分散して配置する。
【００２４】
また、前記保持片２は、本形態では、前記緩衝シートＳにコ字状の切り込み４を設けるとともに、該切り込み４に挟まれる部分を略９０度立ち上げることにより形成している。該切り込み４は、緩衝シートＳの製造工程で予め形成され、乱貼りタイルＴを固定する時に、切り込み４部を立ち上げて保持片２を形成するため、予め生産された緩衝シートＳを複数枚積層して保管、搬送する際、嵩を小さくした状態で取扱できる点で好ましい。また、保持片２は、緩衝シートＳと一体に形成されるため、緩衝シートＳから離脱することがなく乱貼りタイルＴを安定して固定することができる。
【００２５】
なお前記保持片２は、例えば、ダンボール、厚紙、ポリエチレン樹脂、ポリプロピレン樹脂、ポリスチレン樹脂、塩化ビニル樹脂などで形成されたアングル状その他各種形状の保持部品を、前記緩衝シートＳ上に接着、カシメ金具などを用いて固定して形成することもできる。
【００２６】
前記模様３は、図１に示すように、前記保持片２に位置決めされるとともに固定された乱貼りタイルＴの外周に沿って、緩衝シートＳ上に例えば２〜３０ｍｍ程度の間隔を隔てて連続して設けた、多数の小さな切れ目５より形成される。そして、本例の緩衝シートＳは、図１に示すように、３個の乱貼りタイルＴを固定するものであるため、３個の模様３を間隔を隔てて形成している。また前記切れ目５は、本形態では、長さが例えば３〜１５ｍｍ程度のスリット状に形成しているが、直径０．２〜３ｍｍ程度の丸孔で形成しても良い。このように、図３の如く、前記保持片２に位置決めされ固定された乱貼りタイルＴの外周縁が、模様３に重なっているか否かを目視で判定することにより、該乱貼りタイルＴが設計どおりの寸法に生産されていることのサイズ検査を行なうことができるため、乱貼りタイルＴのサイズチェックを簡単確実に行なえる。しかも前記模様３を切れ目５で構成する場合、前記保持片２を形成するための切り込み４と切れ目５とを、同一の金型を用いた単一のプレス工程で形成できるため、生産能率が高く、しかも製造コストを安くしうる点で好ましい。
【００２７】
前記模様３は、前記切れ目５の他、乱貼りタイルＴの外周に沿う線を印刷して形成することも、或いは固定される乱貼りタイルＴが重なる部分を着色して構成することもでき、更には乱貼りタイルＴの外周に沿う箇所を押圧して形成した線状の凹部により模様３を構成することもよい。
【００２８】
前記緩衝シートＳは、図１に示すように、その表面に形成される模様３の内側及び外側に、該模様３の上に固定される乱貼りタイルＴの符号６を付している。該符号６により、模様３に合わせて配置され、かつ該模様３の箇所に形成された保持片２により固定される乱貼りタイルＴの種類が瞬時に解るので、梱包作業において緩衝シートＳに乱貼りタイルＴを固定する作業の能率が向上する。しかも、タイル貼り付け作業においては、緩衝シートＳに固定されている乱貼りタイルＴの種類が一瞥して解るので、作業性が高く、さらに、誤った種類の乱貼りタイルＴを貼り付ける施工ミスがなくなる。
【００２９】
前記符号６は、本形態では、数字からなる符号６を形どった一定間隔を隔て連続する複数の小穴６Ａで形成している。そして該小穴６Ａは、前記保持片２を形成するための切り込み４及び前記模様３を付するための切れ目５とを形成する金型を用いて、単一のプレス工程で形成している。このため、緩衝シートＳの生産能率が高く、しかも生産コストを安くしうる。
【００３０】
前記符号６は、模様の内側又は外側の何れか一方にのみ形成することも良く、前記連続する複数の小穴６Ａで形成するほか、印刷、スタンプ、粘着シールなどにより形成することもできる。また前記符号６は、数字のほかカナ文字、漢字、アルファベット、アラビア数字などで構成することもよく、さらに前記符号６の上の方向が、固定された乱貼りタイルＴの貼り付けの際の上の方向を示す等のルールに基づいて符号６を設けることにより、符号６の方向により乱貼りタイルＴの貼り付けの方向を示すこともできる。
【００３１】
なお図２に例示する乱貼りタイルの梱包用シート１は、前記１５種類の乱貼りタイルＴの中で、３種類の乱貼りタイルＴ６、Ｔ７、Ｔ８を固定する。このように、乱貼りタイルの梱包用シートは、前記１５種類の中から、適宜複数の乱貼りタイルＴを組合わせ、位置決め固定する複数種類のものが設けられる。
【００３２】
しかして、前記乱貼りタイルの梱包用シート１を用いて、乱貼りタイルＴを梱包する際は、まず前記乱貼りタイルＴを乱貼りタイルの梱包用シート１に固定する工程を行なう。この工程で、前記乱貼りタイルＴは、図２に示すように、その各辺を緩衝シートＳの保持片２で当接して保持することにより、位置決めするとともに固定する。このとき、前記乱貼りタイルＴは、緩衝シートＳに付された符号６に該当するものを選び、これを該符号６の付された位置に固定する。また、各乱貼りタイルの梱包用シート１は、各々複数の乱貼りタイルＴを固定する保持片２を有し、しかも各乱貼りタイルＴは各々離間して位置決めされる。このように、乱貼りタイルＴは、保持片２により、緩衝シートＳに簡単に位置決め固定することができる。
【００３３】
次いで、緩衝シートＳに設けた模様３により乱貼りタイルＴのサイズを検査する工程を行なう。本形態では、前記模様３は、乱貼りタイルＴの外周に沿って、緩衝シートＳ上に間隔を隔てて連続して設けた、多数の小さな切れ目５より形成されているため、該切れ目５と、乱貼りタイルＴの外周とが一致することを目視でチェックすることにより、簡単しかも確実に、乱貼りタイルＴのサイズ検査が行なえる。そして、外周の輪郭が、切れ目５よりなる模様３から外れる乱貼りタイルＴは、不良品として梱包から外される。
【００３４】
次いで、図４に示すように、保持片２により乱貼りタイルＴを固定した乱貼りタイルの梱包用シート１を、梱包用の箱７内に複数枚積み重ねて収納する工程を行なう。一つの箱７は、同じ組合わせの乱貼りタイルＴを固定する同一種の乱貼りタイルの梱包用シート１を積み重ね収納することもでき、又異なる組合わせの乱貼りタイルＴを固定する異種類の乱貼りタイルの梱包用シート１を収納することにより、一つの箱７に全種類の乱貼りタイルＴを収納することもできる。このように、乱貼りタイルＴは、乱貼りタイルの梱包用シート１に固定した状態で箱７に積み重ねて収納して梱包するため、該梱包作業が簡単に行なえ、効率化できる。
【図面の簡単な説明】
【００３５】
【図１】本発明の乱貼りタイルの梱包用シートの一実施の形態を例示する斜視図である。
【図２】その使用状態を示す斜視図である。
【図３】その部分拡大斜視図である。
【図４】乱貼りタイルを固定した乱貼りタイルの梱包用シートを、箱に収納する工程を説明する一部切欠斜視図である。
【図５】乱貼りタイルを貼り付けた状態を例示する正面図である。
【図６】そのＸ−Ｘ断面図である。
【図７】その施工状態を例示する正面図である。
【図８】乱貼りタイルの型枠を例示する斜視図である。
【図９】型枠を用いて乱貼りタイルを製造する状態を説明する斜視図である。
【図１０】型枠を用いて製造された乱貼りタイルを例示する斜視図である。
【符号の説明】
【００３６】
１      乱貼りタイルの梱包用シート
２      保持片
３      模様
４      切り込み
５      切れ目
６      符号
７      箱
Ｓ      緩衝シート
Ｔ      乱貼りタイル
【図１】
2005162236.tif 000003
【図２】
2005162236.tif 000004
【図３】
2005162236.tif 000005
【図４】
2005162236.tif 000006
【図５】
2005162236.tif 000007
【図６】
2005162236.tif 000008
【図７】
2005162236.tif 000009
【図８】
2005162236.tif 000010
【図９】
2005162236.tif 000011
【図１０】
2005162236.tif 000012